【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
内部に搭載される第１のデバイスと、装置を制御する制御部とを備え、該第１のデバイスと該制御部との間でデータの送受信を行う自動取引装置であって、
前記第１のデバイスは、
該第１のデバイスに関する第１のコードを生成する処理と、
前記第１のデバイスに固有の情報を、前記制御部に送信する処理と、
前記第１のコードと、前記制御部から受信した第２のコードとを検証し、検証結果に応じて暗号鍵を生成する処理と、
を実行し、
前記制御部は、
動作環境が前記自動取引装置内であることを検証する処理と、
前記動作環境が前記自動取引装置内であると判断された場合、前記固有の情報を用いて、前記第２のコードを生成し、該第２のコードを前記第１のデバイスに送信する処理と、を実行することを特徴とする、自動取引装置。
【請求項２】
請求項１に記載の自動取引装置であって、
前記制御部は、前記第１のコードから前記第２のコードを生成する処理を実行する、自動取引装置。
【請求項３】
請求項１に記載の自動取引装置であって、
前記制御部は、
前記第１のコードから第３のコードを生成し、該制御部に関する第４のコードを生成し、該第３のコードと該第４のコードとを出力する処理と、
サーバにおいて前記第４のコードから生成された、第５のコードを検証し、検証結果に応じて、前記サーバにおいて前記第３のコードから生成された前記第６のコードから、前記第２のコードを生成する処理と、を実行する、自動取引装置。
【請求項４】
請求項１に記載された自動取引装置であって、
前記第１のデバイスは、紙幣を取り扱う紙幣処理部、硬貨を取り扱う硬貨処理部、カードの情報を読取るカードリーダ部、暗号化を行う暗号化キーパッド、明細票を印字するレシートプリンタ、通帳の読み取りと記帳を行う通帳プリンタ、取引のログを記録するジャーナルプリンタ、または利用者の顔写真を撮影するカメラのいずれかである、自動取引装置。
【請求項５】
請求項１に記載された自動取引装置であって、
前記第１のデバイスとは異なる、内部に搭載される第２のデバイスを備え、
前記動作環境が前記自動取引装置内であることを検証する処理は、前記制御部に前記第２のデバイスが接続されているか否かの判断を実行する処理を含む、自動取引装置。
【請求項６】
請求項５に記載された自動取引装置であって、
前記第１のデバイス及び第２のデバイスは、Ｉ／Ｏ制御部、紙幣を取り扱う紙幣処理部、硬貨を取り扱う硬貨処理部、カードの情報を読取るカードリーダ部、暗号化を行う暗号化キーパッド、明細票を印字するレシートプリンタ、通帳の読み取りと記帳を行う通帳プリンタ、取引のログを記録するジャーナルプリンタ、または利用者の顔写真を撮影するカメラのいずれかである、自動取引装置。
【請求項７】
請求項１に記載された自動取引装置であって、
前記動作環境が前記自動取引装置内でないと判断された場合、
前記制御部は、前記動作環境が前記自動取引装置内でない旨を示すデータを送信し、
前記第１のデバイスは、前記動作環境が前記自動取引装置内でない旨を示すデータの受信回数に応じて、暗号鍵生成処理を中断する、自動取引装置。
【請求項８】
請求項１に記載された自動取引装置であって、
前記第１のデバイスは、前記制御部から受信した第２のコードを検証する処理において、
該受信した第２のコードと、前記第１のデバイスにおいて、前記第１のコードと前記第１のデバイスに固有の情報とから生成した第２のコードとを比較する処理を実行する、自動取引装置。
【請求項９】
内部に搭載される第１のデバイスと、装置を制御する制御部とを備え、該第１のデバイスと該制御部との間でデータの送受信を行う自動取引装置であって、
前記制御部は、
動作環境が前記自動取引装置内であることを検証する処理と、
前記動作環境が前記自動取引装置内であると判断された場合、前記第１のコードを生成し、前記第１のデバイスに送信する処理と、
前記第１のコードと、前記第１のデバイスにより生成される第２のコードを検証する処理と、
前記第２のコードの検証結果に応じて暗号鍵を生成する処理と、を実行し、
前記第１のデバイスは、
前記第１のデバイスに固有の情報に基づき前記第２のコードを生成する処理と、
前記第２のコードを、前記制御部に送信する処理と、を実行する、
ことを特徴とする、自動取引装置。
【請求項１０】
請求項１に記載の自動取引装置であって、
さらに保守に関する情報を表示する表示部を備え、
前記制御部において動作環境が前記自動取引装置内であると判断された場合、前記表示部は、前記制御部において、前記第１のデバイスにより生成される第１のコードと、前記制御部により生成される第２のコードと、を表示する、
ことを特徴とする自動取引装置。
【請求項１１】
請求項１０に記載された自動取引装置であって、
前記表示部は、
前記サーバにおいて生成され、前記制御部で検証される第３のコードと、
前記サーバにおいて生成され、前記制御部において前記第３のコードを検証した結果、に応じて、前記第２のコードを生成する際に用いられる第４のコードと、を表示する、自動取引装置。
【請求項１２】
内部に搭載される第１のデバイスと、装置を制御する制御部と、保守に関する情報を表示する表示部とを備え、該第１のデバイスと該制御部との間でデータの送受信を行う自動取引装置と、携帯端末と、サーバとを備える自動取引システムであって、
前記第１のデバイスは、
該第１のデバイスに関する第１のコードを生成し、前記制御部に送信する処理と、
前記制御部から受信した第２のコードを検証し、検証結果に応じて暗号鍵を生成する処理と、を実行し、
前記制御部は、
前記第１のコードを受信した後、動作環境が前記自動取引装置内であることを検証する処理と、
前記動作環境が前記自動取引装置内であると判断された場合、前記第１のコードから第３のコードを生成し、該制御部に関する第４のコードを生成し、該第３のコード及び該第４のコードに関する情報を前記表示部に表示する処理と、
前記携帯端末に表示された、第５のコード及び第６のコードに関する情報を読み取る処理と、
前記第５のコードを検証し、検証結果に応じて、前記第６のコードから前記第２のコードを生成し、該第２のコードを前記第１のデバイスに送信する処理と、を実行し、
前記携帯端末は、
前記表示部に表示された前記第３のコード及び前記第４のコードに関する情報を読み取り、送信する処理と、
前記サーバから送信された前記第５のコード及び前記第６のコードを受信する処理と、
前記第５のコード及び前記第６のコードに関する情報を表示する処理と、を実行し、
前記サーバは、
前記第３のコード及び前記第１のデバイスから受信した前記第１のデバイスに固有の情報から前記第６のコードを生成する処理と、
前記第４のコードから前記第５のコードを生成する処理と、を実行する
ことを特徴とする自動取引システム。
【請求項１３】
請求項１２に記載された自動取引システムであって、
前記制御部は、
前記第３のコード及び前記第４のコードに関する情報と共に、該情報を送信する時刻を表すデータ、作業者の識別情報、前記自動取引装置の識別情報又は前記第１のデバイスの識別情報を表示する処理を実行し、
前記携帯端末は、
前記表示部に表示された、情報を送信する時刻を表すデータ、作業者の識別情報、前記自動取引装置の識別情報又は前記第１のデバイスの識別情報を読み取り、送信する処理を実行し、
前記サーバは、
前記第３のコード及び前記第４のコードに関する情報と、情報を送信する時刻を表すデータ、作業者の識別情報、前記自動取引装置の識別情報又は前記第１のデバイスの識別情報とを格納部に格納する処理を実行する自動取引システム。
【請求項１４】
動作環境が自動取引装置内か否かを判断する制御部に接続され、前記自動取引装置に搭載される第１のデバイスであって、
前記第１のデバイスは、
前記第１のデバイスに関する第１のコードを生成する処理と、
前記第１のデバイスに固有の情報を前記制御部に送信する処理と、
前記制御部により、前記制御部の動作環境が自動取引装置内であると判断された場合に、前記固有の情報に基づき生成される第２のコードを前記制御部から受信する処理と、
前記制御部から受信した前記第２のコードと前記第１のコードとを検証し、検証結果に応じて暗号鍵を生成する処理とを実行する。
【請求項１５】
請求項１４に記載の第１のデバイスであって、
前記第１のデバイスは、前記第１のコードを前記制御部に送信する処理と、
前記受信する処理において、前記制御部により、前記固有の情報及び前記第１のコードに基づき生成される前記第２のコードを前記制御部から受信する処理とを実行する。
【請求項１６】
請求項１４に記載の第１のデバイスであって、
前記第１のデバイスは、紙幣を取り扱う紙幣処理部、硬貨を取り扱う硬貨処理部、カードの情報を読取るカードリーダ部、暗号化を行う暗号化キーパッド、明細票を印字するレシートプリンタ、通帳の読み取りと記帳を行う通帳プリンタ、取引のログを記録するジャーナルプリンタ、または利用者の顔写真を撮影するカメラのいずれかである。
【請求項１７】
自動取引装置に搭載される第１のデバイスに接続される制御部であって、
前記制御部は、
前記第１のデバイスから前記第１のデバイスに固有の情報を受信する処理と、
前記制御部の動作環境が自動取引装置内であると判断した場合に、前記固有の情報に基づき第２のコードを生成する処理と、
前記第１のデバイスにより、前記第１のデバイスが生成する前記第１のデバイスに関する第１のコードと前記第２のコードとを検証し、検証結果に応じて暗号鍵を生成する処理を実行させるために、前記第２のコードを送信する処理とを実行する。
【請求項１８】
請求項１７に記載の制御部であって、
前記制御部は、
前記固有の情報を受信する処理において、前記第１のデバイスから前記固有の情報及び前記第１のコードを受信し、
前記第２のコードを生成する処理において、前記固有の情報及び前記第１のコードに基づき前記第２のコードを生成する。
【請求項１９】
動作環境が自動取引装置内か否かを判断する制御部に接続され、前記自動取引装置に搭載される第１のデバイスが実行する鍵生成方法であって、
前記第１のデバイスが、
前記第１のデバイスに関する第１のコードを生成し、
前記第１のデバイスに固有の情報を前記制御部に送信し、
前記制御部により、前記制御部の動作環境が自動取引装置内であると判断された場合に、前記固有の情報に基づき生成される第２のコードを前記制御部から受信し、
前記制御部から受信した前記第２のコードと前記第１のコードとを検証し、検証結果に応じて暗号鍵を生成する鍵生成方法。